(57)【要約】【課題】吸収シートを利用するペット用トイレでは、ペット（犬）の不用意な動きに対しても、吸収シートを広げたままの状態で保持する必要があり、従来は網状、格子状といったトイレマットカバーが利用されていたが、糞便を処理する際には、格子の孔に汚れが入り込み、きれいにふき取れないという課題があった。【解決手段】板状の本体と、  前記本体に形成された複数の貫通孔と、  前記貫通孔の間に設けられた突起を有することを特徴とするトイレマットカバーは、突起が糞便を支持するので、きれいにふき取ることができる。また、貫通孔の間にヒケができないので、表面に凹みがなく、尿が溜まらないといった効果もある。【選択図】図１
2018171030.tif 000002
【特許請求の範囲】
【請求項１】
板状の本体と、
前記本体に形成された複数の貫通孔と、
前記貫通孔の間に設けられた突起を有することを特徴とするトイレマットカバー。
【請求項２】
前記本体は、略長方形であり、少なくとも２隅の側面に脱着可能に取り付けられる脚部材が配置されることを特徴とする請求項１に記載されたトイレマットカバー。
【請求項３】
前記本体の裏面には押さえ片が配置されていることを特徴とする請求項１又は２の何れかの請求項に記載されたトイレマットカバー。
【請求項４】
前記本体は、他の前記本体と連結可能に構成されることを特徴とする請求項１乃至３の何れか一の請求項に記載されたトイレマットカバー。
【請求項５】
請求項１乃至４の何れかに記載されたトイレマットカバーと、
トレイ部と、
前記トイレマットカバーと前記トレイ部を固定する固定手段を有することを特徴とするペット用トイレ。
【請求項６】
前記トレイ部は、支持板と、枠部を有することを特徴とする請求項５に記載されたペット用トイレ。
【発明の詳細な説明】
【技術分野】
【０００１】
本発明はペット用トイレに使われる吸収シートをペット用トイレに固定するトイレマットカバーに関するものである。
【背景技術】
【０００２】
近年、犬や猫などのペットは、室内で飼われることが増えている。ペットを室内で飼う場合に問題となるのが、排泄の処理である。幸いこれらのペットはいわゆる「躾」によって、決まった場所で排泄するようになる。そこで、主として室内で飼われるペット用トイレが提案されている。
【０００３】
ペット用トイレは、排泄物（特に尿）を吸収する吸収シートと共に使用される。一方ペットには、吸収シートを使用する意味を解しているとは考えられない。したがって、ペット用トイレは、ペットが自由に動いても、広げた状態の吸収シートを保持するという機能を有する必要がある。
【０００４】
特許文献１では、支持基盤上に吸収シートを載せ、さらに網状シートを載せた上で、枠体と支持基盤を固定することで、吸収シートを広げた状態で保持する犬用シートが開示されている。ここでは、網状シートの格子の棒部分において、横棒および縦棒の断面を上側凸形状に形成したので、尿が下の吸収シートに流れやすく、なおかつ犬の動きによって吸収シートにしわが寄ったり、動いたりしないとされている。
【０００５】
特許文献２には、吸収シートを２枚並べて固定できるペット用トイレが開示されている。ここでも底面と周縁に立設された周壁を備えるトレイ部に吸収シートを載置し、吸収シートの辺縁部をトレイに固定する枠部材が開示されている。また、特許文献２でも多数の孔が形成され、吸収シートの表面を保護するカバー板材が開示されている。
【先行技術文献】
【特許文献】
【０００６】
【特許文献１】特開２００５−２８７３６７号公報
【特許文献２】特開２００７−１５１５０６号公報：特許第４０３０５５９号
【発明の概要】
【発明が解決しようとする課題】
【０００７】
特許文献１および２は、確かにペット（犬）の不用意な動きに対しても、吸収シートを広げたままの状態で保持することができる。また、吸収シートを固定する網状の固定具があり、排尿の処理に関して好適に利用できるものと考えられる。
【０００８】
しかし、これらの特許文献は排便については何らの考慮がされていない。吸収シートを固定するための格子状の固定具は、樹脂等で成形されているため、使い捨てというわけではない。また、固定具は吸収シートと糞便の間に配置することとなるので、吸収シートごと糞便を処理することができない。結果、固定具上の糞便は、ふき取る等して処理しなければならない。しかし、格子状の固定具には、格子の中に糞便が残りやすく、その都度水洗いといった洗浄の手間がかかるという課題があった。
【０００９】
また、樹脂で格子を作る際には、貫通孔間の間が広がると、ヒケが生じ、凹みとなる。結果、固定具の表面に尿が残るという課題もあった。
【課題を解決するための手段】
【００１０】
本発明は上記の課題に鑑みて想到されたもので、格子状若しくは網目状の吸収シート固定具であっても、糞便が残りにくく、尿については、表面に残留しにくく、吸収シートに落下しやすいトイレマットカバーおよびそれを有するペット用トイレを提供するものである。
【００１１】
より具体的に本発明に係るトイレマットカバーは、
板状の本体と、
前記本体に形成された複数の貫通孔と、
前記貫通孔の間に設けられた突起を有することを特徴とする。
【００１２】
また、本発明に係るペット用トイレは、
上記のトイレマットカバーと、
トレイ部と、
前記トイレマットカバーと前記トレイ部同士を固定する固定手段を有することを特徴とする。
【発明の効果】
【００１３】
本発明に係るトイレマットカバーは、格子状若しくは網目状と呼ばれる多数の貫通孔が形成された板状部材であって、貫通孔の間に突起を設けてあるので、突起が糞便を支え、貫通孔内に入りにくい構造となっている。したがって、糞便を取り去ったのち、ふき取りによってきれいに後始末をすることができる。また、貫通孔間の突起は、尿を貫通孔に流しやすく、トイレマットカバー表面に尿が残りにくい。
【図面の簡単な説明】
【００１４】
【図１】本発明に係るトイレマットカバーの外観を示す図である。
【図２】図１のＡ−Ａ断面を示す図である。
【図３】従来のペット用トイレを示す図である。
【図４】図３のペット用トイレに適合させる本発明に係るトイレマットカバーの構成を示す図である。
【図５】図４に示す本発明に係るトイレマットカバーの裏面を示す図である。
【図６】図３の従来のペット用トイレと図４に示した本発明に係るトイレマットカバーを組み合わせた本発明に係るペット用トイレを示す図である。
【図７】従来のペット用トイレおよびそれに合わせる本発明に係るトイレマットカバーを示す図である。
【図８】図７の従来のペット用トイレおよび本発明に係るトイレマットカバーで構成される本発明に係るペット用トイレを示す図である。
【図９】従来のペット用トイレおよびそれに合わせる本発明に係るトイレマットカバーとそれらで構成された本発明に係るペット用トイレを示す図である。
【発明を実施するための形態】
【００１５】
以下に本発明に係るトイレマットカバーおよびペット用トイレについて図面および実施例を示し説明を行う。なお、以下の説明は、本発明の一実施形態および一実施例を例示するものであり、本発明が以下の説明に限定されるものではない。以下の説明は本発明の趣旨を逸脱しない範囲で改変することができる。
【００１６】
図１（ａ）に本発明に係るトイレマットカバー１０の斜視図を示す。図１（ｂ）は図１（ａ）の一部拡大図である。トイレマットカバー１０の本体１０ａは、板状の形状をしている。表面形状は特に限定するものではなく、円形、楕円形やひし形などでもよいが、長方形の利便性が高い。ペット用トイレに使われる吸収シートが長方形の場合が多いからである。なお、四隅がＲ加工されていても、本明細書では長方形に含める。
【００１７】
図１（ａ）、図１（ｂ）を参照して、表面には、複数の貫通孔１２が形成されている。トイレマットカバーは、下側に載置される吸収シートをペットの自由な動きから保護する必要があるので、ペットの足が通るような孔では、意味がない。また、貫通孔１２が小さすぎると排泄された尿がスムーズに下方の吸収シートに流れない。したがって、貫通孔１２には好適な大きさがある。好ましくは５ｍｍから２０ｍｍ四方（若しくは直径）程度が好適である。
【００１８】
貫通孔１２と貫通孔１２の間の距離１２ｄは、長いと尿が表面に貯留してしまう。一方短すぎると糞便の残渣をふき取りにくい。貫通孔１２と貫通孔１２の間には、平面１２ｆが形成できる程度の長さがあるのが好ましい。貫通孔１２間に平面１２ｆが形成されていると、トイレマットカバー１０上に排便されても、きれいにふき取りやすいからである。したがって、貫通孔１２間の距離１２ｄは、１ｍｍから５ｍｍが好適である。
【００１９】
また、貫通孔１２の開口縁１２ｏｅには面取り加工がされているのが望ましい。尿が貫通孔１２に流れやすいからである。なお、面取り加工は曲率を持った曲面加工であるのがより望ましい。
【００２０】
貫通孔１２は、本体１０ａ全面に亘り一様な縦横の格子状に配置されるのが好ましい。縦横の格子状に配置されると、斜めの位置関係にある貫通孔１２同士の間に、隣接する貫通孔１２との間の距離１２ｄより広いスペース１２ｓを形成することができ、後述する突起１４を形成する場所ができるからである。
【００２１】
より具体的には、図１（ｂ）において、貫通孔１２ｅ１から貫通孔１２ｅ４を参照する。貫通孔１２ｅ１と貫通孔１２ｅ２および貫通孔１２ｅ３は隣接位置関係である。一方、貫通孔１２ｅ１と貫通孔１２ｅ４は斜めの位置関係にある。貫通孔１２ｅ１と貫通孔１２ｅ４の間には貫通孔１２同士の隣接距離１２ｄよりも広いスペース１２ｓが形成される。
【００２２】
なお、本発明に係るトイレマットカバー１０では、貫通孔１２を格子状以外の規則で配置することを排除しない。また、トイレマットカバー１０の表面１０ｆ全面にわたって、一様に貫通孔１２を配置しなくてもよい。すなわち、貫通孔１２の配置は、場所によって配置のパターンが違っていてもよい。
【００２３】
このスペース１２ｓには、突起１４が形成されている。図２には図１（ｂ）で示すＡ−Ａ断面を示す。突起１４は、トイレマットカバー１０の本体１０ａ（図１（ａ）参照）の表面１０ｆより飛び出た部分である。ここで本体１０ａの表面１０ｆとは、貫通孔１２の開口１２ｏが形成されている面としてよい。すなわち、突起１４の頂上１４ｔは貫通孔１２の開口１２ｏより高い位置にある。
【００２４】
突起１４の高さ１４ｈは、貫通孔１２の最大径の１／１０から１／２程度が好適である。あまり高すぎると、突起１４の根元側に付着した糞便をふき取りにくいからであり、低すぎると糞便を支持できない。同様の理由で、突起１４は滑らかな傾斜で構成されているのが好ましい。特に頂上１４ｔ部分は丸みを帯びた曲線を有するのがよい。
【００２５】
上記のように本発明に係るトイレマットカバー１０は、貫通孔１２と突起１４が形成されていればよい。突起１４が、貫通孔１２の開口１２ｏより高い突起１４であればより好ましい。この形態を有することで、尿は、突起１４の傾斜にしたがって貫通孔１２に流れるので、本体１０ａの表面１０ｆに残留しにくい。一方、糞便は、突起１４が支えることで、後のふき取りが容易となる。また貫通孔１２間が平面１２ｆで形成されているので、さらにふき取りが容易となる。結果、トイレマットカバー１０の洗浄間隔を長くすることができ、管理が楽になる。
【００２６】
また、トイレマットカバー１０を樹脂で作製する場合に、貫通孔１２の間（スペース１２ｓに相当する部分）に樹脂のヒケが生じないので、トイレマットカバー１０の表面に尿が残留しない。また、トイレマットカバー１０を樹脂で作製する際には、白色若しくは白色に近い色にするのがよい。汚れが目立つので、洗浄の必要性が分かりやすいからである。
【００２７】
本発明のトイレマットカバーのより具体的な形態は、使用されるペット用トイレの形態によって、いくつかのバリエーションが考えられる。以下にそのバリエーションに沿った本発明に係るトイレマットカバーの変形例を示す。もちろん、本発明に係るトイレマットカバーは以下の例に限定されるものではない。
【００２８】
また、本発明に係るペット用トイレは、従来のペット用トイレ若しくはその一部と組み合わせて構成することができる。このような場合、従来のペット用トイレ若しくはその一部は、本発明に係るペット用トイレのトレイ部と固定手段のいずれか、若しくは両方を構成する。
【００２９】
本発明に係るペット用トイレは、本発明に係るトイレマットカバーと、トレイ部と、本発明に係るトイレマットカバーとトレイ部同士を固定する固定手段を有している。本発明に係るトイレマットカバーは少なくとも上記のトイレマットカバー１０の特徴を有する。また、トレイ部とは、吸収シートを載置する面を有する部分である。また、固定手段は、トレイ部と本発明に係るトイレマットカバー同士を固定するものであって、その形態は特に限定されない。また同時に吸収シートも固定できるのが望ましい。
【００３０】
従来のペット用トイレとして、図３のタイプのものがある。図３（ａ）は全体図であり、図３（ｂ）は、図３（ａ）の一部拡大図である。以下に従来のペット用トイレ５０に本発明に係るトイレマットカバーを組み合わせた本発明に係るペット用トイレ１を説明する。従来のペット用トイレ５０は、シリコーンで形成された略長方形の形状をしている。したがって、可撓性を有し、いわばマット状のものである。床５１は、平坦な面で形成されている。縁部５２には縦壁５３が形成されていてもよい。また、少なくとも四隅には、切込み部５４が形成されている。
【００３１】
図３（ｂ）を参照して、切込み部５４は、床５１より高い位置に形成された面に切込み５５が施された部分である。この面は特に水平である必要はなく、傾斜があってもよい。切込み部５４の厚みは床５１の厚みとほぼ同じであってよい。切込み５５は、切込み部５４でのシリコーンを貫通した裂け目５６で構成される。切込み５５は、少なくとも１つの裂け目５６を有すればよい。しかし、それぞれの中点を合わせた２本以上の裂け目５６で切込み５５を設けるのが好適である。
【００３２】
裂け目５６を２本以上重ねると可動片５６ａが複数個形成される。切込み５５に物が挿入されると、可動片５６ａは裏側に押曲げられるが、復元力によって挿入された物を把持することができる。つまり、切込み５５は係止力を有する。また、切込み部５４には、２つの切込み５５を設けるのが好ましい。床５１の中央５１ｃに近い方から切込み５５ａ、切込み５５ｂとする。
【００３３】
この従来のペット用トイレ５０に好適に使用できる本発明に係るトイレマットカバーとしては、トイレマットカバー１０の構成に加え、以下の点が付加される。図４（ａ）にトイレマットカバー２０を示す。トイレマットカバー２０は、トイレマットカバー１０同様に貫通孔１２が複数形成され突起１４を有する本体２１を有する。トイレマットカバー２０はさらに、本体２１の周囲に本体２１の表面から下方に向けた縦壁２２を有する。この縦壁２２は、四方の辺に設けるのが良い。縦壁２２は下に敷く吸収シートを固定する機能も果たす。
【００３４】
また、本体２１の各辺の中央の縦壁２２には、切り欠き２２ｈが形成されているのが望ましい。ここで切り欠き２２ｈは例えば、門型の切り欠きである。また、本体２１の長辺側の縦壁２２には、少なくとも形成されているのが望ましい。後述するようにトイレマットカバー２０を並べて使用する場合に、トイレマットカバー２０同士を連結するのに使用する。
【００３５】
トイレマットカバー２０は、少なくとも二隅において、脱着可能な脚部材２３が取り付けられる。もちろん四隅とも脚部材２３があればより望ましい。図４（ｂ）および図４（ｃ）に脚部材２３を示す。図４（ｂ）は表向きであり図４（ｃ）は裏向きである。図に使用時の重力方向を矢印Ｇで示す。脚部材２３は、段差２３ａを設けた板状部材２３ｂの端部に、板状平面から垂直に突設した脚部突起２３ｃを有する部材である。脚部突起２３ｃは、板状平面に突設された台部２３ｅとその上に台部２３ｅより径が大きな傘部２３ｄで構成されている。
【００３６】
トイレマットカバー２０は、この脚部材２３を脱着可能に取り付けるために、受け孔２５が形成される。受け孔２５は、縦壁２２に形成された貫通孔であってよい。受け孔２５は、脚部材２３の脚部突起２３ｃが設けられていない側の断面に合わせた形状に形成されている。
【００３７】
図５にトイレマットカバー２０の裏面を見た斜視図を示す。本体２１の裏面には、押さえ片２６が設けられる。押さえ片２６は、トイレマットカバー２０の中央付近で吸収シートが盛り上がり、貫通孔１２から一部がはみ出ることで、ペットの爪などに引掛り、破れてしまうことを避けるためのものである。また、トイレマットカバー２０は、縦壁２２が設けられているので、中央部分は浮いている。したがって、押さえ片２６は、ペットが乗っても支持できるためのものでもある。
【００３８】
すなわち、押さえ片２６は、吸収シートを縦壁２２以外の箇所で押さえつけ、ペットを支える。したがって、押さえ片２６の高さ２６ｔ（本体２１裏面から下方への距離）は、縦壁２２の高さ２２ｔと略同等である。押さえ片２６の設置個所は少なくともトイレマットカバー２０の中央付近に設ければよい。
【００３９】
以上のように従来のペット用トイレ５０とトイレマットカバー２０で構成される本発明に係るペット用トイレ１の使用例を、図６を用いて説明する。従来のペット用トイレ５０には吸収シート５が載置される。載置された吸収シート５の四隅は、切込み５５ａ（図３（ｂ）参照）で係止させる。従来のペット用トイレ５０はシリコーンで形成されているので、切込み部５４も可撓性を有する。裂け目５６によって、形成された可動片５６ａは容易に変形する。したがって、吸収シート５の隅を切込み５５ａに差し込むだけで、吸収シート５は簡単に係止される。
【００４０】
次に四隅に脚部材２３を取り付けたトイレマットカバー２０を吸収シート５上に載せ、吸収シート５が係止されている切込み５５ａの外側にある切込み５５ｂに、脚部材２３の脚部突起２３ｃを差し込む。この場合も切込み５５ｂの可動片５６ａは容易に変形し、脚部突起２３ｃの傘部２３ｄが切込み５５ｂで係止され、緩やかな固定状態になる。なお、この場合、従来のペット用トイレ５０の床５１は本発明に係るペット用トイレ１のトレイ部に相当し、従来のペット用トイレ５０の切込み部５４と、トイレマットカバー２０の脚部材２３が本発明に係るペット用トイレ１の固定手段を構成する。
【００４１】
上記のように本発明に係るペット用トイレ１では、従来のペット用トイレ５０とトイレマットカバー２０で吸収シート５を挟持することで、吸収シート５は固定される。またペットがトイレマットカバー２０上を歩いても吸収シート５に皺がよることがなく、また位置がずれることもない。
【００４２】
また、排尿、排便の処理についてはトイレマットカバー１０で説明したのと同様の効果を発揮するので、後始末が楽な上に、トイレマットカバー２０の洗浄の間隔を長く取れる。
【００４３】
図７を参照し、従来のペット用トイレ５０の広いタイプを用いた本発明に係るペット用トイレ２（図８参照）について説明する。この従来のペット用トイレ６０は、吸収シートが２枚分の広さを有する。すなわち、吸収シート５を２枚並置して用いることができる。また、ワイドタイプと呼ばれる通常の吸収シート２枚分の広さのある吸収シート６を用いてもよい。従来のペット用トイレ６０は、四隅以外に長辺の中央部分にも切込み部５４が形成されている。吸収シート６がずれないためである。
【００４４】
このような従来のペット用トイレ６０を用いる本発明に係るペット用トイレ２では、トイレマットカバー２０が、２枚使用される（図７（ｂ）参照）。この場合には、トイレマットカバー２０の長辺に設けた切り欠き２２ｈに連結部材２８を取り付け、２枚のトイレマットカバー２０を連結させる。
【００４５】
ここで連結部材２８は２本のスリットが形成された略直方体部材であり、２つのトイレマットカバー２０の切り欠き２２ｈをこのスリットに挿入することで、２つのトイレマットカバー２０が連結される。
【００４６】
連結されたトイレマットカバー３０の状態で、四隅に脚部材２３を取り付け、従来のペット用トイレ６０との間に吸収シート６を挟持する。図８には、本発明に係るペット用トイレ２の構成を示す。
【００４７】
このように、トイレマットカバー２０は、互いに連結し、トイレマットカバー３０として使用することもできる。したがって、トイレマットカバー２０は、連結可能に構成されていると言える。なお、ここでは、トイレマットカバー２０に設けた縦壁２２に、切り欠き２２ｈを形成し、その切り欠き２２ｈ同士を連結する連結部材２８によって、２つのトイレマットシート２０を連結した。しかし、連結の形態はこれに限定されるものではなく、他の方法によって連結されてもよい。
【００４８】
また、本発明に係るペット用トイレ２の場合も、従来のペット用トイレ６０の床５１はトレイ部に相当し、従来のペット用トイレ６０の切込み部５４とトイレマットカバー２０の脚部材２３が本発明に係るペット用トイレ２の固定手段を構成する。
【００４９】
図９には、従来のペット用トイレ７０を用いた本発明に係るペット用トイレ３を示す。従来のペット用トイレ７０は、支持板７１と枠部７２を有する。支持板７１は吸収シートを載置できる平面を有していればよい。枠部７２は、支持板７１と固定されることで、吸収シートを挟持する。その他の形状は特に限定されない。
【００５０】
この従来のペット用トイレ７０に用いるトイレマットカバー４０は、縁に枠部７２若しくは支持板７１と係合する縁係合部を有する。縁係合部の形態は特に限定されない。例えば、支持板７１に設けられた係合突起７１ａと係合する凹み４２であってもよいし、枠部７２に設けられた突出部７２ａが貫通する係止孔４４であってもよい。また本体４１の側面に凹み４６を設けてもよい。
【００５１】
また、トイレマットカバー１０（図１参照）自体を支持板７１と枠部７２の間に吸収シート５と共に挟んで用いることもできる。トイレマットカバー１０は特に支持板７１や枠部７２に係合するものではないが、単に支持板７１と枠部７２で挟持しても、吸収シート５は十分に固定することができる。このような使用であっても、トイレマットカバー１０の排泄処理に対する効果は同様に発揮することができる。
【００５２】
本発明に係るペット用トイレ３でも、トレイ部は従来のペット用トイレ７０の支持板７１に相当し、従来のペット用トイレ７０とトイレマットカバー４０の縁係合部とが固定手段に相当する。なお、従来のペット用トイレ７０にトイレマットカバー１０を用いた場合は、支持板７１と枠部７２での挟持が固定手段に相当する。
【００５３】
以上のように本発明に係るトイレマットカバーおよびそれを有するペット用トイレは、ペットの排泄処理を楽に行えることができる。
【産業上の利用可能性】
【００５４】
本発明に係るトイレマットカバーおよびペット用トイレは、犬や猫はもちろん、糞の大きさが貫通孔以上になるペットに好適に利用することができる。
【符号の説明】
【００５５】
１、２、３  ペット用トイレ
５  吸収シート
６  吸収シート
１０、２０、３０、４０  トイレマットカバー
１０ａ  本体
１０ｆ  表面
１２  貫通孔
１２ｄ  距離
１２ｆ  平面
１２ｏｅ  開口縁
１２ｏ  開口
１２ｓ  スペース
１４  突起
１４ｔ  頂上
１４ｈ  高さ
２１  本体
２２  縦壁
２２ｈ  切り欠き
２２ｔ  高さ
２３  脚部材
２３ａ  段差
２３ｂ  板状部材
２３ｃ  脚部突起
２３ｅ  台部
２３ｄ  傘部
２５  受け孔
２６  押さえ片
２６ｔ  高さ
２８  連結部材
４１  本体
４２  凹み
４６  凹み
４４  係止孔
５０、６０、７０  従来のペット用トイレ
５１  床
５１ｃ（床５１の）中央
５２  縁部
５３  縦壁
５４  切込み部
５５、５５ａ、５５ｂ  切込み
５６  裂け目
５６ａ  可動片
７１  支持板
７２  枠部
７１ａ  係合突起
７２ａ  突出部
【図１】
2018171030.tif 000003
【図２】
2018171030.tif 000004
【図３】
2018171030.tif 000005
【図４】
2018171030.tif 000006
【図５】
2018171030.tif 000007
【図６】
2018171030.tif 000008
【図７】
2018171030.tif 000009
【図８】
2018171030.tif 000010
【図９】
2018171030.tif 000011